(57)【特許請求の範囲】
【請求項１】
車両に搭載される機器に設けられた機器側接続部にボルト締結される板状のボルト締結部と、前記ボルト締結部の後方に配され電線の端末に接続される電線接続部と、前記ボルト締結部と前記電線接続部とを前後方向に繋ぐ繋ぎ部と、上方に立ち上がった形態で前記ボルト締結部から前記繋ぎ部に亘ってそれぞれの幅方向両側縁に連続して設けられることで前記ボルト締結部と前記繋ぎ部との間を補強する一対の周壁と、を具備する端子に、カバーを上方から組み付けたカバー付き端子であって、
前記カバーに弾性変位可能に設けられ、前記一対の周壁に設けられた一対の被係止部に乗り上げて弾性変位し、弾性復帰することで前記被係止部に設けられた被係止面に下方から係止して前記カバーを前記周壁に固定する一対の係止片と、
前記カバーに設けられ、前記係止片と前記被係止面とが係止する前に前記一対の被係止部の間に進入することで、前記一対の被係止部に対して前記一対の係止片を幅方向に位置決めするガイド部とを備えるカバー付き端子。
【請求項２】
前記ガイド部には、前記被係止部の前記被係止面と前記係止片とが係止した際に、前記繋ぎ部に当接することで前記カバーの高さ位置を位置決めする位置決め部が設けられている請求項１記載のカバー付き端子。
【請求項３】
前記ガイド部は、幅方向に長い板状であって、前後方向に複数並んで設けられており、
前記ガイド部は、前記一対の係止片の間に配された連結部によって前後方向に連結されている請求項２記載のカバー付き端子。
【請求項４】
前記ガイド部は、前記一対の係止片の間に位置する領域の前後両側で、かつ前記係止片よりも前後にオフセットした位置にそれぞれ設けられている請求項２または請求項３記載のカバー付き端子。
【発明の詳細な説明】
【技術分野】
【０００１】
本発明は、カバー付き端子に関する。
【背景技術】
【０００２】
従来、車両に搭載された機器に接続される端子として、下記特許文献１記載のものが知られている。この端子は、機器にボルト締結される板状のボルト締結部（車体固定部）と電線の芯線に接続されるバレルとを繋ぎ部（基板）により連結した形態をなしている。
ところで、上記の端子の繋ぎ部は、ボルト締結部よりも幅狭に形成されている。このため、ボルト締結部から繋ぎ部に亘ってそれぞれの側縁部を屈曲させて周壁を形成することにより、ボルト締結部と繋ぎ部との間の強度の向上を図っている。
【先行技術文献】
【特許文献】
【０００３】
【特許文献１】特開２００３−１３２９６９号公報
【発明の概要】
【発明が解決しようとする課題】
【０００４】
ところが、上記の端子によると、ボルト締結部から繋ぎ部に亘って側縁部を屈曲させて周壁を形成しているため、ボルト締結部から繋ぎ部の側縁部が丸みを帯びた状態となっている。このため、丸みを帯びた側縁部に、カバーの幅方向両側に弾性変位可能に設けられた一対の係止片を係止させて端子に合成樹脂製のカバーを組み付けようとすると、側縁部に十分な係止代を確保することができず、側縁部から係止片が滑るなどして端子に対するカバーの保持力を確保できなくなってしまう。
また、端子にカバーを組み付けようとする際に、端子に対してカバーの組み付け姿勢が幅方向に傾いた不正な姿勢で組み付けられると、係止片が意図しない位置に当接するなどして損傷し、端子に対するカバーの保持力が低下する虞がある。
【０００５】
本発明は上記のような事情に基づいて完成されたものであって、端子に対するカバーの保持力を確保することを目的とする。
【課題を解決するための手段】
【０００６】
上記の目的を達成するための手段として本発明は、車両に搭載される機器に設けられた機器側接続部にボルト締結される板状のボルト締結部と、前記ボルト締結部の後方に配され電線の端末に接続される電線接続部と、前記ボルト締結部と前記電線接続部とを前後方向に繋ぐ繋ぎ部と、上方に立ち上がった形態で前記ボルト締結部から前記繋ぎ部に亘ってそれぞれの幅方向両側縁に連続して設けられることで前記ボルト締結部と前記繋ぎ部との間を補強する一対の周壁と、を具備する端子に、前記端子を覆うカバーを上方から組み付けたカバー付き端子であって、前記カバーに弾性変位可能に設けられ、前記一対の周壁に設けられた一対の被係止部に乗り上げて弾性変位し、弾性復帰することで前記被係止部に設けられた被係止面に下方から係止して前記カバーを前記周壁に固定する一対の係止片と、前記カバーに設けられ、前記係止片と前記被係止面とが係止する前に前記一対の被係止部の間に進入することで、前記一対の被係止部に対して前記一対の係止片を幅方向に位置決めするガイド部とを備えるところに特徴を有する。
【０００７】
このような構成のカバー付き端子によると、一対の被係止部の被係止面にカバーに設けられた一対の係止片を係止させることができるから、丸みを帯びた部分に係止片を係止させる場合に比べて、端子に対するカバーの保持力を確保することができる。
また、周壁の被係止部にカバーの係止片を組み付ける過程において、係止片と被係止面とが係止する前に、ガイド部が一対の周壁の間に進入することで、係止片が被係止部に対して幅方向に位置決めされるから、係止片が意図しない部分に接触するなどして破損することを抑制することができる。これにより、端子に対するカバーの保持力が低下することを防ぐことができる。
【０００８】
本発明の実施の態様として、以下の構成が好ましい。
前記ガイド部には、前記被係止部の前記被係止面と前記係止片とが係止した際に、前記繋ぎ部に当接することで前記カバーの組み付け方向の高さ位置を位置決めする位置決め部が設けられている構成としてもよい。
このような構成によると、被係止部の係止面と係止片とが係止したところで、ガイド部の位置決め部が繋ぎ部に当接し、端子に対するカバーの高さ位置が位置決めされる。これにより、端子に対してカバーが必要以上に組み付け方向に押しつけられることを防ぎ、係止片が意図しない位置に当接して損傷することを抑制することができる。
【０００９】
前記ガイド部は、幅方向に長い板状であって、前後方向に複数並んで設けられており、前記ガイド部は、前記一対の係止片の間に配された連結部によって前後方向に連結されている構成としてもよい。
このような構成によると、連結部によって板状のガイド部が連結されて補強されるから、各ガイド部が傾倒するなどして当接部の高さ位置がばらつくことを抑制することができる。
【００１０】
前記ガイド部は、前記一対の係止片の間に位置する領域の前後両側で、かつ前記係止片よりも前後にオフセットした位置にそれぞれ設けられている構成としてもよい。
このような構成によると、一対の係止片を支点にカバーが前後方向にがたつくことを抑制することができる。
【発明の効果】
【００１１】
本発明によれば、端子に対するカバーの保持力を確保することができる。
【図面の簡単な説明】
【００１２】
【図１】実施形態１に係るカバー付き端子の正面図
【図２】同平面図
【図３】同側面図
【図４】図２のＡ−Ａ線断面図
【図５】図２のＢ−Ｂ線断面図
【図６】図２のＣ−Ｃ線断面図
【図７】端子にカバーを装着する前の状態を示す正面図
【図８】同側面図
【図９】機器の機器側接続部に端子のボルト締結部を載置した状態を示す平面図
【図１０】カバーの底面図
【図１１】図１０のＦ−Ｆ線断面図
【図１２】端子にカバーを装着する前の状態を示す断面図であって、図９のＥ−Ｅ線の断面と図１０のＧ−Ｇ線の断面とに相当する断面図
【図１３】図８のＤ−Ｄ線断面図
【図１４】ガイド部が一対の係止部の間に進入した状態を示す断面図
【図１５】被係止部にガイド部の右側縁部が当接して係止片が正規の位置に案内される途中の状態を示す断面図
【図１６】実施形態２に係るカバー付き端子の図６に相当する断面図
【図１７】実施形態３に係るカバー付き端子の図６に相当する断面図
【図１８】実施形態４に係るカバー付き端子の図６に相当する断面図
【図１９】実施形態５に係るカバー付き端子の図６に相当する断面図
【図２０】実施形態６に係るカバー付き端子の図６に相当する断面図
【発明を実施するための形態】
【００１３】
＜実施形態１＞
本発明の実施形態１について図１乃至図１５を参照して説明する。
本実施形態は、車両に搭載されたオルタネータなどの発電機（「機器」に相当する）８０に設けられた機器側接続部８１に接続されるカバー付き端子１０を例示している。なお、以下の説明において、上下方向とは図１における上下方向を基準とし、左右方向とは図１における左右方向を基準とする。また、前後方向については、図３における図示左側を前側とし、図示右側を後側として説明する。
【００１４】
機器側接続部８１は、図９に示すように、カバー付き端子１０が載置される載置部８２と、載置部８２の左側に設けられた左側壁部８３と、載置部８２の前方に設けられた一対の回転防止壁８４とを備えて構成されている。
載置部８２は、図１２に示すように、平坦な載置面８２Ａの中央から略円筒状のスタッドボルト８５が上方に向かって立ち上がった形態をなしている。載置部８２の左側には、図９に示すように、載置部８２を左方から取り囲むようにして左側壁部８３が設けられており、載置部８２の右側は、右方に開放されている。
一対の回転防止壁８４は、左右に対向する形態で前後方向に延びて形成されており、左側の回転防止壁８４は左側壁部８３の前端部に連なっている。
【００１５】
カバー付き端子１０は、図１乃至図６に示すように、電線Ｗの端末に接続される端子２０と、端子２０に組み付けられるカバー４０とを備えて構成されている。
端子２０は、図７乃至図９に示すように、機器側接続部８１にボルト締結されるボルト締結部２１と、電線Ｗの端末に接続される電線接続部２２と、ボルト締結部２１と電線接続部２２との間を前後方向に繋ぐ繋ぎ部２３と、ボルト締結部２１から繋ぎ部２３に亘って左右方向両側縁に設けられた一対の周壁２４とを備えて構成されている。
【００１６】
ボルト締結部２１は、図９および図１２に示すように、平板の略円形状をなし、ボルト締結部２１の中央には、機器側接続部８１のスタッドボルト８５が下方から挿通されるボルト挿通孔２１Ａが上下方向に貫通して形成されている。ボルト挿通孔２１Ａにスタッドボルト８５を挿通してボルト締結部２１を上方から載置部８２の載置面８２Ａに載置し、ナットＮをスタッドボルト８５に螺合して締め込むことによりボルト締結部２１が機器側接続部８１にボルト締結されるようになっている。
【００１７】
ボルト締結部２１の先端部には、前方に突出する回り止め部２５が形成されている。回り止め部２５は、ボルト締結部２１から前方に真っ直ぐ延びた後、下方に屈曲した形態をなしている。回り止め部２５は、ボルト締結部２１が載置面８２Ａに載置されると、図９および図１２に示すように、載置部８２の前端面に沿って配されると共に、一対の回転防止壁８４の間に配され、一対の回転防止壁８４と回り止め部２５とが左右方向に近接した状態となる。このため、スタッドボルト８５にナットＮを締め込む際に、回転防止壁８４に対して回り止め部２５が左右方向に当接することで、ボルト締結部２１の連れ回りが防止されるようになっている。
【００１８】
電線接続部２２は、図２および図９に示すように、電線Ｗの端末において露出された芯線Ｗ１に圧着されるワイヤバレル２２Ａと、電線Ｗの絶縁被覆Ｗ２に圧着されるインシュレーションバレル２２Ｂとを電線Ｗの延びる方向に連ねた形態とされている。
【００１９】
繋ぎ部２３は、図９に示すように、ボルト締結部２１の後縁と電線接続部２２の底板おける前縁とに連なるようにして形成されており、繋ぎ部２３の上面は平坦な形態をなしている。また、繋ぎ部２３は、ボルト締結部２１の後端から後方に延出される平板状の第一繋ぎ部２３Ａと、第一繋ぎ部２３Ａの後端から右斜め後方に延出される平板状の第二繋ぎ部２３Ｂとを備えて構成されており、第一繋ぎ部２３Ａは、ボルト締結部２１よりも左右方向に幅狭に設けられている。
【００２０】
一対の周壁２４は、ボルト締結部２１の前後方向略中央部から第一繋ぎ部２３Ａを経て第二繋ぎ部２３Ｂの前端位置まで連続して形成されており、一対の周壁２４がボルト締結部２１と第一繋ぎ部２３Ａとの境界部分と、第一繋ぎ部２３Ａと第二繋ぎ部２３Ｂとの境界部分とを補強することで、各境界部分が折れ曲がるなどして端子２０が破損することを防いでいる。
【００２１】
カバー４０は、図４乃至図６に示すように、ボルト締結部２１を上方から覆う前側覆い部４１と、繋ぎ部２３において一対の周壁２４が設けられた領域を上方から覆う後側覆い部４２とを備えて構成されている。
前側覆い部４１は、図１乃至図５および図１０に示すように、上端部が閉塞された円筒状に形成されており、前側覆い部４１の右側面には前側覆い部４１よりも下方に延出された保護壁部４３が設けられている。
【００２２】
保護壁部４３は、ボルト締結部２１が機器側接続部８１の載置部８２に載置されると、機器側接続部８１の左側壁部８３と共にボルト締結部２１を左右両側から取り囲むようになっている。これにより、ボルト締結部２１がボルト締結されてカバー４０が組み付けられると、他の部材がボルト締結部２１に当接するなどしてボルト締結部２１が損傷することを防ぐことができるようになっている。
【００２３】
後側覆い部４２は、図４乃至図６および図１０に示すように、繋ぎ部２３の上面と上下方向に対向するように前側覆い部４１の上端後縁から後方に延出された天井壁４４と、天井壁４４の前部における左右方向両側縁から下方に僅かに延出された一対の前側壁４５と、天井壁４４の後部における左右方向両側縁から下方に延出された一対の後側壁４６と、後側覆い部４２の後端開口を閉塞する後壁４７とを備えて構成されている。
【００２４】
一対の後側壁４６は、図２および図５に示すように、第一繋ぎ部２３Ａの後端部から第二繋ぎ部２３Ｂの前端部までを左右方向両側から覆う形態とされており、他の部材が第一繋ぎ部２３Ａや第二繋ぎ部２３Ｂに当接して、第一繋ぎ部２３Ａと第二繋ぎ部２３Ｂとの境界部分が折れ曲がるなどして繋ぎ部２３が破損することを防いでいる。
【００２５】
後壁４７は、図３に示すように、天井壁４４の後端縁と一対の後側壁４６の後端縁とによって囲まれた領域を閉塞しており、後壁４７の下方から第二繋ぎ部２３Ｂが後方に引き出された状態となっている。後壁４７は、カバー４０が端子２０に組み付けられると、一対の周壁２４の後方に近接して配され、一対の周壁２４に後壁４７が後方から当接することでカバー４０が前方に移動することを防いでいる。
【００２６】
さて、一対の周壁２４の上縁には、図５、図８および図１２に示すように、一対の被係止壁２８が設けられており、後側覆い部４２には、一対の被係止壁（「被係止部」に相当する）２８に下方から係止することでカバー４０を端子２０に固定する一対の係止片４８が設けられている。
【００２７】
各被係止壁２８は、第一繋ぎ部２３Ａの周壁２４の上縁にそれぞれ設けられており、周壁２４の上縁から上方に向けて立ち上がる前後方向に長い板状をなしている。各被係止壁２８には、左右方向に貫通する略矩形状の係止孔２９が設けられており、係止孔２９の上側の内面は、係止片４８が下方から係止する被係止面２９Ａとされている。被係止面２９Ａは、第一繋ぎ部２３Ａおよび第二繋ぎ部２３Ｂの上面とほぼ平行な平坦な面とされている。また、各被係止壁２８の外側上縁には、係止孔２９よりも前後方向に大きく、かつ外側に傾斜した案内面２８Ａが形成されている。
【００２８】
一方、後側覆い部４２の一対の係止片４８は、図６、図１３および図１４に示すように、天井壁４４の左右方向両側縁から僅かに内側に向かうようにして下方に延出されており、左右方向に対向する形態とされている。また、一対の係止片４８は、図８、図１０および図１１に示すように、カバー４０の前後方向略中央部に配されるように前側壁４５と後側壁４６との間に設けられており、係止片４８と前側壁４５との間、係止片４８と後側壁４６との間にそれぞれ上下方向に延びるスリット４２Ａを形成することで、一対の係止片４８が互いに外側に向けて弾性変位可能とされている。
【００２９】
一対の係止片４８間の長さ寸法は、図１３および図１４に示すように、カバー４０が端子２０に組み付けられた際に、一対の係止片４８の内側に一対の被係止壁２８が緊密に嵌まり込む大きさとされており、各係止片４８の先端には、図３、図５および図６に示すように、カバー４０が端子２０に組み付けられた際に、前後方向両側にクリアランスを有した状態で係止孔２９に外側から嵌まり込む係止突起４９が設けられている。
【００３０】
係止突起４９は、図６、図１３および図１４に示すように、その下面が係止片４８の下端部から上方に向かうほど内側に向かって傾斜するテーパ面４９Ａとされ、その上面が被係止壁２８の被係止面２９Ａに下方から係止する平坦な係止面４９Ｂとされている。
このため、端子２０にカバー４０を組み付ける過程では、図１４に示すように、一対の係止片４８における係止突起４９のテーパ面４９Ａが被係止壁２８の案内面２８Ａに当接して係止片４８の係止突起４９が被係止壁２８に乗り上げる。そして、端子２０に対してカバー４０が正規の位置に組み付けられると、図６に示すように、係止突起４９が係止孔２９に嵌まり込んで係止片４８が弾性復帰して、被係止壁２８の被係止面２９Ａに係止片４８の係止面４９Ｂが下方から係止することで、端子２０にカバー４０が固定される。
【００３１】
また、天井壁４４の左右方向略中央部には、図５および図６に示すように、前方視略矩形状をなす一対のガイド片（「ガイド部」に相当する）５０が設けられている。一対のガイド片５０は、一対の被係止壁２８の間に進入可能とされ、前後方向に対向するように前後方向に並んで設けられている。また、一対のガイド片５０は、図１０に示すように、カバー４０の前後方向略中央部に位置しており、一対の係止片４８の間に位置する領域を境に前後両側にほぼ同じ寸法だけ離れて配されている。言い換えると、一対のガイド片５０は、一対の係止片４８の間に位置する領域の前後両側で、かつ係止片４８よりも前後にオフセットした位置にそれぞれ配されている。
【００３２】
各ガイド片５０は、図１３および図１４に示すように、係止片４８よりも下方に突出した形態をなしており、各ガイド片５０が一対の被係止壁２８の間に進入した後に、係止片４８が被係止壁２８に乗り上げるように設定されている。
また、各ガイド片５０の下面は、天井壁４４と平行な平坦な面とされており、係止片４８の係止面４９Ｂと被係止壁２８の被係止面２９Ａとが当接した際に、第一繋ぎ部２３Ａの上面に上方から当接する位置決め面（「位置決め部」に相当する）５０Ａとされている。このため、図６に示すように、カバー４０が端子２０に対して正規の高さ位置に組み付けられると、ガイド片５０の位置決め面５０Ａが第一繋ぎ部２３Ａの上面に当接し、カバー４０が正規の高さ位置よりも下方に移動することが防止されるようになっている。これにより、カバー４０が正規の高さ位置より下方に移動することで、係止片４８が周壁２４に乗り上げたり、係止片４８が周壁２４に押圧されて塑性変形したりすることを抑制することができ、端子２０に対するカバー４０の保持力が低下することを抑制することができる。
【００３３】
一対のガイド片５０の左右方向略中央部には、図１０に示すように、一対のガイド片５０を前後方向に連結することで一対のガイド片５０が傾倒することを防ぐ連結部５１が設けられている。この連結部５１は、図１２に示すように、天井壁４４と一対のガイド片５０の内面とに連なって形成されており、連結部５１の下面５１Ａは、ガイド片５０の位置決め面５０Ａと面一となるように設定されている。
つまり、端子２０にカバー４０が組み付けられると、図４に示すように、一対のガイド片５０の位置決め面５０Ａと連結部５１の下面５１Ａとが第一繋ぎ部２３Ａの上面に接触する。これは、カバー４０において、一対の係止片４８が設けられた位置を中心に、一対の係止片４８よりも前後方向に長い範囲で一対のガイド片５０の位置決め面５０Ａと連結部５１の下面５１Ａとが第一繋ぎ部２３Ａの上面に接触することになるから、例えば、ガイド片や連結部の下端部が第一繋ぎ部の上面に接触しない場合に比べて、一対の係止片４８が設けられた位置を支点にカバー４０が前後方向にがたつくことを抑制できるようになっている。
【００３４】
本実施形態のカバー付き端子１０は、以上のような構成であって、続いて発電機８０の機器側接続部８１に端子２０を接続し、その後、端子２０にカバー４０を組み付ける際の作用効果を説明する。
まず、図９に示すように、電線Ｗの端末に接続された端子２０を機器側接続部８１の載置部８２に載置する。このとき、端子２０のボルト締結部２１のボルト挿通孔２１Ａに載置部８２のスタッドボルト８５を挿通させて、載置部８２の載置面８２Ａ上にボルト締結部２１を載置する。
【００３５】
次に、図１２に示すように、ナットＮをスタッドボルト８５に締め付けてボルト締結部２１を載置部８２に固定し、端子２０と機器側接続部８１とを電気的および機械的に接続する。
ここで、端子２０は、図１２に示すように、ボルト締結部２１よりも後方部分が機器側接続部８１から突出した状態となる。ところが、ボルト締結部２１の前後方向略中央部から第二繋ぎ部２３Ｂの前端部までの位置には一対の周壁２４が設けられており、この一対の周壁２４が、ボルト締結部２１と第一繋ぎ部２３Ａとの境界部分と、第一繋ぎ部２３Ａと第二繋ぎ部２３Ｂとの境界部分とを補強しているから、各境界部分が折れ曲がるなどして端子２０が容易に破損しないようになっている。
【００３６】
端子２０と機器側接続部８１とが接続されたところで、図７、図８、図１２および図１３に示すように、端子２０の上方にカバー４０を配置し、カバー４０を端子２０に上方から組み付ける。
カバー４０を端子２０に組み付ける過程では、図１４に示すように、まず、一対の被係止壁２８の間にカバー４０の一対のガイド片５０の下端部が進入し、ガイド片５０の下端部が僅かに進入したところで、一対の係止片４８の係止突起４９におけるテーパ面４９Ａが被係止部２８の外側上縁に当接する。
【００３７】
このまま、更に上方からカバー４０を端子２０に押しつけると、係止突起４９が被係止壁２８に乗り上げて係止片４８が外側に弾性変位する。そして、端子２０に対してカバー４０が正規の位置に組み付けられると、図６に示すように、係止突起４９が係止孔２９に嵌まり込んで係止片４８が弾性復帰し、係止片４８の係止面４９Ｂが被係止壁２８の被係止面２９Ａに下方から係止する。
つまり、図６に示すように、被係止壁２８の係止孔２９に設けられた平坦な被係止面２９Ａに係止片４８の平坦な係止面４９Ｂを下方から係止させるから、例えば、丸みを帯びた被係止部に係止片の係止面を係止させる場合に比べて、端子２０にカバー４０をしっかり固定することができる。
【００３８】
ところで、端子２０にカバー４０を組み付ける際に、例えば、端子２０に対してカバー４０の組み付け姿勢が右側に傾いた不正な姿勢に配置されると、左側の係止片４８と左側の被係止壁２８とが左右方向にずれた状態となり、不正な姿勢のまま上方からカバー４０が端子２０に組み付けられると、左側の係止片４８と左側の被係止壁２８とが上下方向に突き当たるなどして、係止片４８が損傷してしまうことが懸念される。
ところが、本実施形態によると、カバー４０が右側に傾いた不正な姿勢の場合には、まず一対の被係止壁２８の間に一対のガイド片５０が進入したところで、図１５に示すように、ガイド片５０の右側側縁が右側の被係止壁２８の内側上縁に当接し、ガイド片５０が一対の被係止壁２８の間に案内される。そして、端子２０に対するカバー４０の左右の位置が修正されて、係止片４８が被係止壁２８に対して左右方向に位置決めされつつ、カバー４０が端子２０に組み付けられる。
つまり、カバー４０を端子２０に組み付ける際に、係止片４８と被係止壁２８とが上下方向に突き当たることを回避し、係止片４８が損傷することを防止することができる。
【００３９】
また、被係止壁２８の被係止面２９Ａに係止片４８の係止面４９Ｂを下方から係止させてカバー４０を端子２０に対して正規の位置に固定すると、図4に示すように、係止片４８が設けられた位置を中心に、一対の係止片４８よりも前後方向に長い範囲で一対のガイド片５０の位置決め面５０Ａと連結部５１の下面５１Ａとが第一繋ぎ部２３Ａの上面に接触する。これにより、例えば、ガイド片や連結部の下端部が第一繋ぎ部の上面に接触しない場合に比べて、一対の係止片４８が設けられた位置を支点にカバー４０が前後方向にがたつくことを抑制することができる。
【００４０】
また、カバー４０が端子２０に対して正規の高さ位置に組み付けられたところで、図６に示すように、ガイド片５０の位置決め面５０Ａと連結部５１の下面５１Ａとが第一繋ぎ部２３Ａの上面に当接して、カバー４０を正規の高さ位置よりも下方に移動させることができなくなるから、係止片４８が周壁２４に乗り上げたり、係止片４８が周壁２４に押圧されて塑性変形したりすることを抑制することができる。これにより、端子２０に対するカバー４０の保持力が低下することを抑制することができる。
【００４１】
以上のように、本実施形態によると、カバー４０を端子２０に組み付ける際に、
一対の被係止壁２８の間に一対のガイド片５０を挿入させることで、係止片４８を被係止部２８に対して左右方向に位置決めし、更に、一対の被係止壁２８の平坦な被係止面２９Ａに一対の係止片４８の平坦な係止面４９Ｂを係止させてカバー４０を端子２０に固定する。これにより、係止片４８が損傷することを抑制しつつ、カバー４０を端子２０にしっかりと固定するから、端子２０に対するカバー４０の保持力を確保することができる。
また、カバー４０を端子２０に固定した後も、ガイド片５０と連結部５１とが第一繋ぎ部２３Ａの上面に前後方向に長く当接した状態となるから、カバー４０が前後方向にがたつくことを抑制することができる。
【００４２】
また、本実施形態によると、板状のガイド片５０が連結部５１によって前後方向に連結されて補強されているから、各ガイド片５０が傾倒するなどして位置決め面５０Ａの高さ位置がばらつくことを抑制することができる。これにより、カバー４０が前後方向にがたつくことをさらに抑制することができる。
【００４３】
＜実施形態２＞
次に、本発明の実施形態２について図１６を参照して説明する。
実施形態２のカバー付き端子１１０は、実施形態１における端子２０の被係止壁２８と、カバー４０の係止片４８の形状を変更したものであって、実施形態１と共通する構成、作用、および効果については重複するため、その説明を省略する。また、実施形態１と同じ構成については同一の符号を用いるものとする。
【００４４】
実施形態２の端子１２０の被係止壁１２８は、一対の被係止壁１２８の間にガイド片５０が緊密に進入するようになっており、一対の被係止壁１２８の上端が互いに外側に屈曲されることで各被係止壁１２８の先端下面が被係止面１２８Ａとされている。また、カバー１４０の係止片１４８は、天井壁４４から下方に真っ直ぐ延出された形態とされている。
そして、カバー１４０が端子１２０に組み付けられる際には、係止片１４８の係止突起４９のテーパ面４９Ａが被係止壁１２８の先端部に乗り上げて係止片１４８が外側に弾性変位し、係止突起４９が被係止壁１２８の先端を乗り越えると係止片１４８が弾性復帰する。これにより、係止片１４８の係止面４９Ｂが被係止壁１２８の被係止面１２８Ａに下方から係止してカバー１４０が端子１２０に対してしっかりと固定されるようになっている。
【００４５】
＜実施形態３＞
次に、本発明の実施形態３について図１７を参照して説明する。
実施形態３のカバー付き端子２１０は、実施形態１における端子２０の被係止壁２８と、カバー４０の係止片４８の形状を変更したものであって、実施形態１と共通する構成、作用、および効果については重複するため、その説明を省略する。また、実施形態１と同じ構成については同一の符号を用いるものとする。
【００４６】
実施形態３の端子２２０の被係止壁２２８は、各係止孔２９の下縁から互いに外側に向かって突出する位置決め片２３０が設けられている。
また、カバー２４０の係止片２４８は、天井壁４４から下方に真っ直ぐ延出された形態とされ、各係止片２４８は、係止片２４８の係止突起４９が係止孔２９に嵌まり込んだ際に、係止片２４８の下端部が位置決め片２３０に対して上方から当接する長さ寸法に設定されている。
つまり、本実施形態によると、カバー２４０が端子２２０に対して正規の高さ位置に組み付けられると、ガイド片５０の位置決め面５０Ａと連結部５１の下面５１Ａとの三箇所だけでなく、係止片２４８の下端部が位置決め片２３０の上面に当接することで、カバー２４０が正規の高さ位置よりも下方に移動できないように上下方向に位置決めできるようになっている。
【００４７】
＜実施形態４＞
次に、本発明の実施形態４について図１８を参照して説明する。
実施形態４のカバー付き端子３１０は、実施形態１における端子２０の被係止壁２８と、カバー４０の係止片４８の形状を変更したものであって、実施形態１と共通する構成、作用、および効果については重複するため、その説明を省略する。また、実施形態１と同じ構成については同一の符号を用いるものとする。
【００４８】
実施形態４の端子３２０の被係止壁３２８は、一対の被係止壁３２８の上端が互いに内側に屈曲されることで各被係止壁１２８の先端下面が被係止面３２８Ａとされている。また、カバー３４０の係止片３４８は、互いに内側に向かって弾性変位可能とされ、係止片３４８と連結部５１との間に撓み空間Ｓを有する形態で天井壁４４の略中央部に設けられている。また、各係止片３４８は、天井壁４４から下方に真っ直ぐ延出され、各係止片３４８の外側の面に係止突起４９が設けられている。
そして、カバー３４０が端子３２０に組み付けられる際には、係止片３４８の係止突起４９のテーパ面４９Ａが被係止壁３２８の先端部に乗り上げて係止片３４８が内側に弾性変位し、係止突起４９が被係止壁３２８の先端を乗り越えると係止片３４８が弾性復帰する。これにより、係止片３４８の係止面４９Ｂが被係止壁３２８の被係止面３２８Ａに下方から係止してカバー３４０が端子３２０に対してしっかりと固定されるようになっている。
また、端子３２０からカバー３４０を取り外す際には、一対の係止片３４８を左右両側から押圧して内側に弾性変位させることで、治具などを用いずにカバー３４０を容易に取り外すことができるようになっている。
【００４９】
＜実施形態５＞
次に、本発明の実施形態５について図１９を参照して説明する。
実施形態５のカバー付き端子４１０は、実施形態１における端子２０の被係止壁２８と、カバー４０の係止片４８の形状を変更したものであって、実施形態１と共通する構成、作用、および効果については重複するため、その説明を省略する。また、実施形態１と同じ構成については同一の符号を用いるものとする。
【００５０】
実施形態５の端子４２０の被係止壁４２８は、被係止壁４２８の上下方向略中央部を外側に向けて切り起こすことで、外側に張り出す被係止片４３０が設けられている。被係止片４３０は、被係止片４３０の上面が下方に向かうほど外側に傾斜する傾斜面４３０Ａとされ、被係止片４３０の下面が被係止面４３０Ｂとされている。また、カバー４４０の係止片４４８は、天井壁４４から下方に真っ直ぐ延出された形態とされている。
そして、カバー４４０が端子４２０に組み付けられる際には、係止片４４８の係止突起４９のテーパ面４９Ａが被係止片４３０の傾斜面４３０Ａに乗り上げて係止片４４８が外側に弾性変位する。つまり、テーパ面４９Ａと傾斜面４３０Ａとが互いに傾斜しているから、被係止壁４２８と係止片４４８とが互いに案内することで、端子４２０対するカバー４４０の組み付けを滑らかに行うことができる。そして、係止突起４９が被係止片４３０を乗り越えると係止片４４８が弾性復帰し、係止片４４８の係止面４９Ｂが被係止片４３０の被係止面４３０Ｂに下方から係止してカバー４４０が端子４２０に対してしっかりと固定される。
【００５１】
＜実施形態６＞
次に、本発明の実施形態６について図２０を参照して説明する。
実施形態６のカバー付き端子５１０は、実施形態１における端子２０の被係止壁２８と、カバー４０の係止片４８の形状を変更したものであって、実施形態１と共通する構成、作用、および効果については重複するため、その説明を省略する。また、実施形態１と同じ構成については同一の符号を用いるものとする。
【００５２】
実施形態６の端子５２０の被係止壁５２８は、被係止壁５２８の上下方向略中央部を外側に向けて切り起こすことで、外側に張り出す被係止片５３０が設けられている。被係止片５３０は、被係止片５３０の上面が下方に向かうほど外側に傾斜する傾斜面５３０Ａとされ、被係止片５３０の下面が被係止面５３０Ｂとされている。また、カバー５４０の係止片５４８は、天井壁４４から下方に真っ直ぐ延出された形態とされ、係止片５４８には、実施形態１のような係止突起４９が設けられておらず、貫通孔５５２が設けられている。貫通孔５５２は、係止片５４８を左右方向に貫通して形成されており、貫通孔５５２の下側内面が被係止片５３０の被係止面５３０Ｂに下方から係止する係止面５５２Ａとされている。
そして、カバー５４０が端子５２０に組み付けられる際には、係止片５４８の下端部が被係止片５３０の傾斜面５３０Ａに乗り上げて係止片５４８が外側に弾性変位し、係止片５４８の貫通孔５５２に被係止片５３０が嵌まり込むことで、係止片５４８が弾性復帰する。そして、係止片５４８の係止面５５２Ａが被係止片５３０の被係止面５３０Ｂに下方から係止してカバー５４０が端子５２０に対してしっかりと固定される。
【００５３】
＜他の実施形態＞
本発明は上記記述及び図面によって説明した実施形態に限定されるものではなく、例えば次のような実施形態も本発明の技術的範囲に含まれる。
（１）上記実施形態では、ガイド部を板状のガイド片５０として構成したが、本発明はこのような態様に限定されるものではなく、例えば、ガイド部をブロック状に構成してもよい。
（２）上記実施形態では、第一繋ぎ部２３Ａと第二繋ぎ部２３Ｂとの間を屈曲させた繋ぎ部２３を構成したが、本発明はこのような態様に限定されるものではなく、例えば、繋ぎ部を真っ直ぐに形成した構成にしてもよい。
（３）上記実施形態では、前後方向に一対のガイド片を並べた構成としたが、本発明はこのような態様に限定されるものではなく、例えば、前後方向にガイド片を３枚以上並べた構成にしてもよい。
【符号の説明】
【００５４】
１０，１１０，２１０，３１０，４１０，５１０：カバー付き端子
２０，１２０，２２０，３２０，４２０，５２０：端子
２１：ボルト締結部
２３：繋ぎ部
２４：周壁
２８，１２８，２２８，３２８，４２８，５２８：被係止壁（被係止部）
２９Ａ，１２８Ａ，３２８Ａ，４３０Ｂ，５３０Ｂ：被係止面
４０，１４０，２４０，３４０，４４０，５４０：カバー
４８，１４８，２４８，３４８，４４８，５４８：係止片
５０：ガイド片（ガイド部）
５０Ａ：位置決め面（位置決め部）
５１：連結部
８０：発電機（機器）
８１：機器側接続部
【図１】
0005939206.tif 000002
【図２】
0005939206.tif 000003
【図３】
0005939206.tif 000004
【図４】
0005939206.tif 000005
【図５】
0005939206.tif 000006
【図６】
0005939206.tif 000007
【図７】
0005939206.tif 000008
【図８】
0005939206.tif 000009
【図９】
0005939206.tif 000010
【図１０】
0005939206.tif 000011
【図１１】
0005939206.tif 000012
【図１２】
0005939206.tif 000013
【図１３】
0005939206.tif 000014
【図１４】
0005939206.tif 000015
【図１５】
0005939206.tif 000016
【図１６】
0005939206.tif 000017
【図１７】
0005939206.tif 000018
【図１８】
0005939206.tif 000019
【図１９】
0005939206.tif 000020
【図２０】
0005939206.tif 000021